(57)【要約】【課題】窓からの採光や通気を行うことが可能でありながら屋内を覗かれにくい窓遮蔽装置の提供。【解決手段】窓遮蔽装置１は、窓２７の内側に配置されて上下に進退移動する可撓性遮蔽体Ｍと、窓２７の下方の壁Ｗに取り付けられて可撓性遮蔽体Ｍを格納する下部本体２と、可撓性遮蔽体Ｍの上端部に一端が連結された条体２０と、条体２０を引き上げて可撓性遮蔽体Ｍを上方移動させるように窓２７の上方の壁Ｗに取り付けられた上部本体３と、を備えた構成にされている。可撓性遮蔽体Ｍはシャッター４で構成され、下部本体２がシャッター４を下向きに引いて巻き取る巻取り軸８を備えている。【選択図】図２
0003131430.tif 000002
【実用新案登録請求の範囲】
【請求項１】
窓の外側または内側に配置されて上下に進退移動する可撓性遮蔽体と、
窓下方の壁に取り付けられて前記可撓性遮蔽体を格納する下部本体と、
可撓性遮蔽体の上端部に一端が連結された条体と、
条体を引き上げて可撓性遮蔽体を上方移動させるように窓上方の壁に取り付けられた上部本体と、を備えてなることを特徴とする窓遮蔽装置。
【請求項２】
可撓性遮蔽体がシャッターで構成され、下部本体がシャッターを下向きに引いて巻き取る巻取り軸を含んでなる請求項１に記載の窓遮蔽装置。
【請求項３】
可撓性遮蔽体がカーテンで構成され、下部本体がカーテンを下向きに引いて巻き取る巻取り軸を含んでなる請求項１に記載の窓遮蔽装置。
【請求項４】
可撓性遮蔽体が、多数の薄板体を糸条を介して連結してなるブラインドで構成され、下部本体が、ブラインドを出し入れする上面開口を有しブラインドの薄板体を積み重ねて収容する収容箱体を含んでなる請求項１に記載の窓遮蔽装置。
【考案の詳細な説明】
【技術分野】
【０００１】
本考案は、近年の住宅建築に汎用されている窓用シャッターなどの窓遮蔽装置に関するものである。
【背景技術】
【０００２】
従来、この種の窓遮蔽装置としては例えば下記の特許文献１に開示されたものが知られている。この文献開示の窓遮蔽装置は、窓上方の屋外壁に取り付けられる装置本体と、装置本体内に格納されていて窓下端に向けて引き出されるシャッターと、を備えている。シャッターは、装置本体内でモータと連結された巻取り軸に巻かれて格納されている。また、シャッターは、窓の左右両側に配設された１対のレール体内に収容されて上下移動するようになっている。斯かる窓遮蔽装置では、シャッターが全閉であると昼間でも屋内が暗くなるため、シャッターを一部分開いて屋外から採光したり、風を入れたいことがある。
【０００３】
【特許文献１】特開平７−１１９３７１号公報（段落［０００３］、図５参照）
【考案の開示】
【考案が解決しようとする課題】
【０００４】
しかしながら、シャッターは窓の下部から上向きに開いていくので、例えばコタツなどでくつろいでいる居住者は外から丸見えとなって居心地が悪くなり、止むなくシャッターを閉めてしまうことがあった。このような不具合は人通りの多い道の傍であれば尚更である。一方で、雨天時や曇り時などのように屋外が暗い場合は昼間でも屋内の照明器具を点灯させなければならないが、シャッターを開くと照明により外から見えやすくなるため、この場合もシャッターを閉めざるを得なかった。
【０００５】
本考案は、上記した従来の問題点に鑑みてなされたものであって、窓からの採光や通気を行うことが可能でありながら屋内を覗かれにくい窓遮蔽装置の提供を目的とする。
【課題を解決するための手段】
【０００６】
上記目的を達成するために、本考案に係る窓遮蔽装置は、窓の外側または内側に配置されて上下に進退移動する可撓性遮蔽体と、窓下方の壁に取り付けられて前記可撓性遮蔽体を格納する下部本体と、可撓性遮蔽体の上端部に一端が連結された条体と、条体を引き上げて可撓性遮蔽体を上方移動させるように窓上方の壁に取り付けられた上部本体と、を備えた構成にしてある。
【０００７】
また、前記構成において、可撓性遮蔽体がシャッターで構成され、下部本体がシャッターを下向きに引いて巻き取る巻取り軸を含んでなるものである。
【０００８】
そして、前記構成において、可撓性遮蔽体がカーテンで構成され、下部本体がカーテンを下向きに引いて巻き取る巻取り軸を含んでなるものである。
【０００９】
更に、前記構成において、可撓性遮蔽体が、多数の薄板体を糸条を介して連結してなるブラインドで構成され、下部本体が、ブラインドを出し入れする上面開口を有しブラインドの薄板体を積み重ねて収容する収容箱体を含んでなるものである。
【考案の効果】
【００１０】
本考案に係る窓遮蔽装置によれば、上部本体により条体が引き上げられることによって可撓性遮蔽体が下部本体から引き出されて上方移動するので、窓上部の一部分を除き多くの部分を遮蔽するといったことができる。これにより、窓上部の一部分から日光や屋外空気を屋内に採り入れることができる。その場合、窓上部の一部分が開いているだけなので、屋外からの覗き見を防ぐことができる。
【００１１】
また、可撓性遮蔽体がシャッターまたはカーテンで構成されているものでは、シャッターまたはカーテンといった入手容易な汎用材料で窓遮蔽装置を安価に製造することができる。
【００１２】
そして、可撓性遮蔽体がブラインドで構成されるとともに下部本体がブラインドの薄板体を積み重ねて収容する収容箱体を備えているものでは、下部本体を簡素な構成で実現することができる。
【考案を実施するための最良の形態】
【００１３】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る窓遮蔽装置を備えた家屋の正面図、図２は前記窓遮蔽装置の側断面図、図３は前記窓遮蔽装置の一部断面を含む背面図である。
図１において、この実施形態に係る窓遮蔽装置１は、家屋Ｈの壁Ｗに形成された窓２７のガラス戸２９の屋外側に取り付けられている。窓遮蔽装置１は、図２および図３に示すように、窓２７の下方位置の壁Ｗに取り付けられる下部本体２と、窓２７の上方位置の壁Ｗに取り付けられる上部本体３と、下部本体２内に格納されるとともに上部本体３により引き上げられるシャッター４と、を備えている。この窓遮蔽装置１は屋外に設置されるので、下部本体２および上部本体３が防水構造を採用していることは言うまでもない。
【００１４】
下部本体２は、横長スリット状の上面開口６を有するケーシング５を備えている。ケーシング５内の一端側には巻取り付勢装置７が配備されている。巻取り付勢装置７は水平軸心回りに回転する巻取り軸８を有している。巻取り付勢装置７は、内蔵するコイルバネ（図示省略）の作用により巻取り軸８をシャッター巻取り方向（図２中の矢印Ｒ方向）に常に回転付勢している。巻取り軸８の先端は、ケーシング５内の他端側に配備されたボールベアリングなどの軸受９に回動自在に軸支されている。巻取り軸８にはシャッター４の末端部が固着されており、シャッター４はシャッターロール４Ｒ（図２中の２点鎖線で示す）として巻かれた状態でケーシング５内に格納されている。巻取り軸８は巻取り付勢装置７の作用によりシャッター４を下向きに引いて巻き取るようになっている。
【００１５】
上部本体３は、横長スリット状の下面開口１２を有するケーシング１１を備えている。ケーシング１１内において、一端側に配備されたボールベアリングなどの軸受１４と、他端側に配備されたボールベアリングなどの軸受１３との間には、巻取り軸１５が架け渡されて回動自在に軸支されている。巻取り軸１５の軸受１４寄りには、スプロケット１６が固着されている。また、軸受１４の近傍にはモータ１７が配備されており、その駆動軸１８にスプロケット１９が固着されている。前記のスプロケット１６とスプロケット１９にはチェーン３８が架け渡されており、これによってモータ１７の回転駆動力が巻取り軸１５に伝達されるようになっている。
【００１６】
上部本体３の下面開口１２と下部本体２の上面開口６との間には、それぞれの両端に１対のレール体２１，２１が架け渡されている。レール体２１，２１は平断面コ字状に形成されており、それぞれの開口が互いに対面するように配置されている。このように対面したレール体２１，２１内にシャッター４の両端が上下移動自由に収容されている。
【００１７】
シャッター４は、多数のシャッター片１０を上下に連結した構成とされ前後方向（壁Ｗと直行する方向）に撓んで巻取り軸８に巻き取り可能となっており、屋外２５から屋内２６を透視できない材料および構造で構成されている。すなわち、シャッター４は可撓性遮蔽体Ｍの一例である。シャッター４の上端部には、例えば平ベルト製の３本の条体２０，２０，２０の一端がそれぞれ連結されている。条体２０，２０，２０のそれぞれの他端は、巻取り軸１５に固着されている。そして、モータ１７を正転駆動させるための上昇用ボタン、反転駆動させるための下降用ボタン、および、停止させるための停止用ボタン（いずれも図示省略）を備えたスイッチ２８が壁Ｗの屋内２６側に配備されている。
【００１８】
上記のように構成された窓遮蔽装置１の作用を次に説明する。まず、シャッター４はその全体がシャッターロール４Ｒとしてケーシング５内で巻取り軸８に巻き取られているものとする、そこで、屋内２６の住人がスイッチ２８の上昇用ボタンを押すと、モータ１７の駆動軸１８が正転駆動し、その回転力はスプロケット１９、チェーン３８、スプロケット１６を経て巻取り軸１５に伝達される。これにより矢印Ｆ方向（図２）回転する巻取り軸１５が条体２０，２０，２０を巻き取って引き上げシャッター４を上方に進出させる。シャッター４の上端がレール体２１の上端に到達すると、図示せぬ検知センサがシャッター４の上端を検知してモータ１７を自動的に停止させる。このとき、窓２７は全体がシャッター４で遮蔽されており、外部の光は窓２７からほとんど入ってこない状態になっている。そうして、外部の光を窓２７から取り入れる場合は、スイッチ２８の下降用ボタンが押される。すると、モータ１７の駆動軸１８が逆転駆動し、これに伴って逆回転（図２中の矢印Ｆと反対方向）する巻取り軸１５が条体２０，２０，２０を解き放しシャッター４を下方に退行させる。これにより、窓２７上部の一部分が遮蔽解除されて光が透過できるようになる。この状態でガラス戸２９を開けると、外気を屋内２６に取り入れることができる。
【００１９】
上記したように、この窓遮蔽装置１は、上部本体３が条体２０，２０，２０を引き上げられることによってシャッター４が下部本体２から引き出されて上方移動する。これにより、窓２７の上部だけ開放して残りの部分は遮蔽することができる。従って、窓２７の上部から日光や屋外空気を屋内２６に採り入れることができる。その場合、窓２７の上部以外はシャッター４により遮蔽されているので、例え１階部分の窓であっても路上を歩いている人Ｐ（図１参照）からは屋内２５の大部分を覗き見することができない。家屋Ｈの２階部分の窓２７に窓遮蔽装置１を配備すると、２階の屋内はいっそう覗き見されにくい。
【００２０】
尚、上記の実施形態では、シャッター４を下向きに常時引いている巻取り付勢装置７を用いた例を示したが、本考案はそれに限定されるものでない。巻取り付勢装置７に替えて、必要時のみシャッター４を下向きに引いて巻取り軸８に巻き取らせるモータ（図示省略）を下部本体２に設けることも可能である。
あるいは、上下本体のモータを省略し、その代わりに、一方向に回転付勢するスプリングと反対方向に回転付勢するスプリングとを内蔵した汎用のウェイトバランサーを上部本体３の巻取り軸１５に接続し、この巻取り軸１５にプーリおよび無端状紐体（図５の符号３２，３４参照）を設けても構わない。その場合は、手動で簡便にシャッター４を開け閉めすることができる。
このような手動構成の場合は、図３に２点鎖線で示すように、室内の居住者により把手３９で操作されるロック棒４０，４０を室内側のシャッター４上部に設けておくとよい。そして、レール体２１，２１の上下中央部分および上端部に形成したロック穴４１，４１，４１，・・・にロック棒４０，４０を挿入させることにより、それぞれの高さ位置でシャッター４を掛止したり施錠したりすることができる。
【００２１】
また、上記では、可撓性遮蔽体Ｍとしてシャッター４を適用した例を示したが、本考案はそれに限定されるものでない。例えば、図４および図５に示した窓遮蔽装置１Ａのように、撓むことが可能で屋内を透視できないカーテン３０で可撓性遮蔽体Ｍを構成することも可能である。この窓遮蔽装置１Ａは窓２７の内側すなわち壁Ｗの屋内２６側に取り付けられるものであり、カーテン３０と、窓２７上方の壁Ｗに取り付けられた上部本体３Ａと、窓２７下方の壁Ｗに取り付けられてカーテン３０を格納する下部本体２Ａと、から構成されている。下部本体２Ａは、室内用であるために窓遮蔽装置１の下部本体２と比べて小型であり防水仕様でないこと以外は下部本体２と同様に構成されている。上部本体３Ａも窓遮蔽装置１の上部本体３と比べて小型のケーシング１１Ａが採用されている。ケーシング１１Ａ内には、窓遮蔽装置１のモータ１７などの代わりに、ラチェット式伝達機構３１が配備されている。
【００２２】
巻取り軸１５Ａの一端は汎用のラチェット式伝達機構３１の動力出力側に連結され、巻取り軸１５Ａの他端は軸受１３に回動自在に軸支されている。ラチェット式伝達機構３１の動力入力側には伝達軸１５Ｂが連結され、伝達軸１５Ｂの先端にプーリ３２が固着されている。プーリ３２には無端状紐体３４が巻き掛けられており、無端状紐体３４はケーシング１１Ａに形成された下面開口３３から引き出されている。カーテン３０の上端部には、例えば平ベルト製の３本の条体２０，２０，２０のそれぞれの一端が連結されている。条体２０，２０，２０のそれぞれの他端は、上部本体３Ａの巻取り軸１５Ａに固着されている。カーテン３０の末端部は巻取り軸８に固着されており、カーテン３０はカーテンロール３０Ｒとして巻かれた状態でケーシング５Ａ内に格納されている。巻取り軸８は巻取り付勢装置７の作用によりカーテン３０を下向きに引いて巻き取るようになっている。
【００２３】
この窓遮蔽装置１Ａでは、手で無端状紐体３４を下向きに引いてプーリ３２および伝達軸１５Ｂを一方向に回すと、ラチェット式伝達機構３１により伝達軸１５Ｂの回転力が巻取り軸１５Ａに伝達されて巻取り軸１５Ａを回転させ、条体２０，２０，２０を巻き取ってカーテン３０を上昇させる。そして、無端状紐体３４を下向きに引く力を緩めると、ラチェット式伝達機構３１の掛止作用により、カーテン３０はその位置で保持される。無端状紐体３４を再度下向きに引くと、ラチェット式伝達機構３１の掛止状態が解除されてカーテン３０を下方移動させることができる。
【００２４】
この窓遮蔽装置１Ａにおいても窓２７の上部だけ開放して残りの部分を遮蔽することができ、窓２７の上部から日光や屋外空気を屋内２６に採り入れることができる。また、窓遮蔽装置１Ａは屋内仕様なので防水性などを考慮する必要がなく構成が簡素かつ小型で済む。また、カーテン３０は入手容易で安価であるので、窓遮蔽装置１Ａを安価に実現することができる。尚、窓遮蔽装置１Ａでは、プーリ３２をケーシング１１Ａ内に配置したが、伝達軸１５Ｂの先端をケーシング１１Ａの側方外部に突出させ、突出した伝達軸１５Ｂの先端にプーリ３２および無端状紐体３４を設けるようにしても構わない。
【００２５】
そして、図６および図７に示した窓遮蔽装置１Ｂのように、例えば可撓性遮蔽体Ｍをブラインド３５で構成しても構わない。この窓遮蔽装置１Ｂでは、先述した窓遮蔽装置１Ａと同様構成の上部本体３Ａが屋内２６で窓２７上方の壁Ｗに取り付けられ、ブラインド３５を折り畳み格納する下部本体２Ｂが窓２７下方の壁Ｗに取り付けられている。ブラインド３５は、多数の薄板体３６，３６，３６，・・・が糸条３７，３７，３７，・・・を介して上下に連結されている。また、前記の下部本体２Ｂは、ブラインド３５を出し入れする上面開口６Ｂを有するケーシング５Ｂから主として構成されている。このケーシング５Ｂは、上面開口６Ｂから収容したブラインド３５の薄板体３６，３６，３６，・・・を積載薄板体３６Ｐ，３６Ｐ，３６Ｐ，・・・として積み重ねて収容する収容箱体Ｃとして機能する。ブラインド３５の下端はケーシング５Ｂ内の底面に載置され、ブラインド３５の上端は条体２０，２０，２０のそれぞれの一端に連結されている。条体２０，２０，２０の他端はそれぞれ上部本体３Ａの巻取り軸１５Ａに固着されている。
【００２６】
この窓遮蔽装置１Ｂによっても、窓２７の上部だけ開放して残りの部分を遮蔽することができ、窓２７の上部から日光や屋外空気を屋内２６に採り入れることができる。また、下部本体２Ｂが、ブラインド３５の薄板体３６を積み重ねて収容するケーシング５Ｂ（収容箱体Ｃ）で主に構成されているので、下部本体２Ｂを簡素な構成で提供することができる。
【００２７】
尚、上記では、カーテンとブラインドを窓の内側に配置した例を示したが、カーテンおよびブラインドを耐水性および耐光性のある材料で構成するとともに、上部本体および下部本体に防水構造を採用することにより、カーテンとブラインドを窓の外側に配置することも可能である。また、本考案に用いる条体としては、上記の紐体に限らず、チェーン、ワイヤ、合成樹脂製ファイバーなどを用いることも可能である。
【図面の簡単な説明】
【００２８】
【図１】本考案の一実施形態に係る窓遮蔽装置を備えた家屋の正面図である。
【図２】前記窓遮蔽装置の側断面図である。
【図３】前記窓遮蔽装置の一部断面を含む背面図である。
【図４】本考案の別の実施形態に係る窓遮蔽装置の側断面図である。
【図５】前記別の窓遮蔽装置の一部断面を含む背面図である。
【図６】本考案の他の実施形態に係る窓遮蔽装置の側断面図である。
【図７】前記他の窓遮蔽装置の一部断面を含む背面図である。
【符号の説明】
【００２９】
１，１Ａ，１Ｂ  窓遮蔽装置
２，２Ａ，２Ｂ  下部本体
３，３Ａ  上部本体
４    シャッター
５，５Ａ，５Ｂ  ケーシング
６，６Ｂ  上面開口
７    巻取り付勢装置
８    巻取り軸
１１，１１Ａ  ケーシング
１５，１５Ａ  巻取り軸
２０  条体
２５  屋外
２６  屋内
２７  窓
３０  カーテン
３１  ラチェット式伝達機構
３５  ブラインド
Ｃ    収容箱体
Ｍ    可撓性遮蔽体
Ｗ    壁
【図１】
0003131430.tif 000003
【図２】
0003131430.tif 000004
【図３】
0003131430.tif 000005
【図４】
0003131430.tif 000006
【図５】
0003131430.tif 000007
【図６】
0003131430.tif 000008
【図７】
0003131430.tif 000009